(57)【特許請求の範囲】
【請求項１】
異形断面線条体（５）の軸方向に設けた溝（５Ａ）内に芯線（９）を挿入させるとともに、この異形断面線条体（５）を中心部材（６）の周囲に複数撚り合わせる撚合装置であって、
この撚合装置には、前記異形断面線条体（５）とともに前記中心部材（６）の周りを回転する回転目板（２）を有し、
この回転目板（２）には、略円筒状のホルダ（３）を中心部材（６）の移動方向下流側に一体に設け、
前記ホルダ（３）と回転目板（２）との間には、回転目板（２）通過後の芯線（９）を前記溝（５Ａ）に挿入させる案内孔（４１）と爪（４２）とを有する治具（４）を固定し、
前記中心部材（６）へ集合・巻装される異形断面線条体（５）の溝（５Ａ）の姿勢を中心部材（６）に対して常時一定向きに保持させながらその溝（５Ａ）内に芯線（９）を落とし込ませるように構成したことを特徴とする異形断面線条体の撚合装置。
【発明の詳細な説明】
【０００１】
【発明の属する技術分野】
この発明は、長さ（軸）方向に沿って溝を有する複数の異形断面線条体を中心部材（テンションメンバ）の周囲に撚ながら集合させ、ケーブルを形成する異形断面線条体の撚合装置に関するものである。
【０００２】
【従来の技術】
中心部材（外周面に溝を形成した）の外周の溝に撚りながら集合させて図４に示すようなケーブルコア１０を形成するために光ファイバ心線を挿入した複数本の異形断面線条体５が使用されている。
【０００３】
また、この異形断面線条体５には、軸（長さ）方向に断面Ｃ形の溝５Ａが切り欠いてあり、必要があればこの溝５Ａから図示外の光ファイバ心線を取り出すことができるものが提案されているが、撚った状態で巻装されているから、光ファイバ心線を取り出せるようにするには溝（開口部分）が中心部材に対して常に外側に向いていることが必要である。
【０００４】
【発明が解決しようとする課題】
ところが、この異形断面線条体を撚り合わせていく場合には、この異形断面線条体にＳＺ撚りや単撚りをかけるときに異形断面線条体の姿勢がずれ易く、溝の開口部分が常に外側に向くとは限らない。
【０００５】
そこで、この発明は、上記した欠点に鑑み、異形断面線条体を撚り合わせてケーブルを製造するときに、溝（開口部分）を常に一定向き（例えば外側に向ける）に揃えることができ、しかもこの姿勢揃えができるばかりか、撚り合わせ直前の姿勢揃えの際に先の溝内に光ファイバを落とし込ませて挿入することも合わせてできる異形断面線条体の撚合装置を提供することを目的とするものである。
【０００６】
【課題を解決するための手段】
すなわち、この請求項１に記載の発明は、異形断面線条体の軸方向に設けた溝内に芯線を挿入させるとともに、この異形断面線条体を中心部材の周囲に複数撚り合わせる撚合装置であって、この撚合装置には、前記異形断面線条体とともに前記中心部材の周りを回転する回転目板を有し、この回転目板には、略円筒状のホルダを中心部材の移動方向下流側に一体に設け、前記ホルダと回転目板との間には、回転目板通過後の芯線を前記溝に挿入させる案内孔と爪とを有する治具を固定し、前記中心部材へ集合・巻装される異形断面線条体の溝の姿勢を中心部材に対して常時一定向きに保持させながらその溝内に芯線を落とし込ませるように構成したものである。
【０００７】
【発明の実施の形態】
以下、この発明の好適な一実施例について添付図面を参照しながら説明する。
図１はこの発明にかかる撚合装置１の要部、特に回転目板２等を示す概略断面図である。この実施例の撚合装置では、円板状の回転目板２に、略筒状のホルダ３を固定している。また、このホルダ３には治具４を（異形断面線条体５と同数）同心・等角的に固定してある。
【０００８】
なお図１において、符号６は中心部材、７はテープ等の線材７０を前記異形断面線条体ごと引張部材に巻装することにより異形断面線条体を止め付ける一括バインダ、８は回転目板２の外周面に刻設した歯２Ａに螺合・回転するギア８０の駆動用モータを示す。
【０００９】
回転目板２には、図２に示すように、ホルダ３が（図１における）右面（中心部材６の走行方向下流側面）部分に一体に嵌合・固定されている。また、この回転目板２の中心部には、異形断面線条体５と中心部材６とが挿通する大きな貫通孔２１が形成される。
一方、この回転目板２の（図１における）左面には円板状のカバー部材２０が螺着される。このカバー部材２０には引張部材６及び異形断面線条体５が通過する中心孔２０Ａ及び孔２０Ｂが開口されているほか、光ファイバ芯線等の心線９（異形断面線条体５の溝内に挿入させる）を取り込む挿通孔２０Ｃも開口される。
【００１０】
ホルダ３は、回転目板２に螺合一体化される。このホルダ３には、回転目板２と対面する（図１における）左面に異形断面線条体５と中心部材６とが挿通する大孔３１が形成されるとともに、右面（反対面）中心に中心部材６が通過する中心孔３２される。また、この中心孔３２の周囲には、等角・同心状に異形断面線条体５と同数穿設した孔３３を有する。
【００１１】
図３に示す治具４は、回転目板２の挿通孔２０Ｃを通過する芯線９を異形断面線条体５の溝５Ａ内に挿入させるため先端側に窄まって傾斜状態に設けた案内孔４１を有しており、ホルダ３と回転目板２との間に固定される。また、この案内孔４１の一部には、図３に示すように、（異形断面線条体５の）溝５Ａに入り込む爪４２を有している。
【００１２】
従って、治具４の爪４２が溝５Ａに係合するよう各異形断面線条体５を回転目板２とホルダ３とに通しておけば、回転目板２とともに回転して撚れるときに、各異形断面線条体５の姿勢のずれを爪４２で抑えるから、回転目板２の回転動作にともない溝５Ａのずれを防止できる。また、この実施例によれば、異形断面線条体の溝の形状が異なるものであっても、それに応じた爪を有する治具を用意しておけば、適宜交換してホルダ３に取り付けることができる。
【００１３】
しかもこの実施例によれば、撚り合せの直前に異形断面線条体５の姿勢制御と同時に、図３に示すように、治具４に設けた案内孔４１に沿って溝５Ａへの芯線９の挿入・落とし込みができる。
【００１４】
【発明の効果】
以上説明してきたように、この発明によれば、異形断面線条体とともに中心部材の周りを回転する回転目板を有し、この回転目板には、略円筒状のホルダを中心部材の移動方向下流側に一体に設け、ホルダと回転目板との間には、回転目板通過後の芯線を溝に挿入させる案内孔と爪とを有する治具が固定されたので、治具の爪が異形断面線条体の溝（開口部）に係合するようにしておけば、各異形断面線条体の溝のずれをその爪で防止できるから、中心部材に対して溝の向きがずれるといった不都合を簡単な構成のもので有効に防止できる。
【００１５】
しかも、この発明によれば、異形断面線条体の溝の向きを揃える作業と同時に、治具に設けた案内孔に沿って溝内に芯線を挿入させることができるようになるから、ケーブルの製造作業の効率化を図ることができる。
【図面の簡単な説明】
【図１】この発明にかかる撚合装置の要部を示す断面図。
【図２】同装置の要部分解斜視図。
【図３】この発明の治具を示す斜視図。
【図４】ケーブルコアを示す概略断面図。
【符号の説明】
１    撚合装置
２    回転目板
３    ホルダ
４    治具
４１  案内孔
４２  爪
５    異形断面線条体
６    中心部材
【図１】
0003907824.tif 000002
【図２】
0003907824.tif 000003
【図３】
0003907824.tif 000004
【図４】
0003907824.tif 000005